(57)【要約】【課題】砂を十分に移動させながら砂の巻き上がりを抑えることができる沈砂池を提供する。【解決手段】受け入れた水に含まれている砂が池下部９に設けられた、集砂ピット４に向かって延在した溝内に沈降する沈砂池１であって、溝を形成する、上方に向けて開口した溝形成体９１と、閉塞した空間Ｓ９を形成し、空間Ｓ９につながる吸込口９３ａが設けられ溝に沿って延在する空間形成部材９３と、空間形成部材９３を支持する支持部材９４とを備えた。【選択図】図１２
2020073270.tif 000002
【特許請求の範囲】
【請求項１】
受け入れた水に含まれている砂が池下部に設けられた、集砂ピットに向かって延在した溝内に沈降する沈砂池であって、
前記溝を形成する、上方に向けて開口した溝形成体と、
閉塞した空間を形成し、該空間につながる吸込口が設けられ前記溝に沿って延在する空間形成部材と、
前記空間形成部材を支持する支持部材とを備えたことを特徴とする沈砂池。
【請求項２】
前記支持部材は、前記空間形成部材の外周面を支持するものであることを特徴とする請求項１記載の沈砂池。
【請求項３】
前記支持部材は、前記空間形成部材と前記溝形成体の間に介在したものであることを特徴とする請求項１または請求項２記載の沈砂池。
【発明の詳細な説明】
【技術分野】
【０００１】
本発明は、受け入れた水に含まれている砂が池下部に設けられたトラフの溝内に沈降する沈砂池に関する。
【背景技術】
【０００２】
下水処理システムには、下水または雨水などの汚水を受け入れ、その汚水に含まれている砂を池下部の底面や池下部に設けられた溝内に沈降させた後、池下部の、底面や溝内に堆積した砂を集めるために所定方向に移動させ、集まった砂を汚水から取り除く沈砂池が設けられているものがある。この沈砂池には、池下部の、底面や溝内に堆積した砂を、吐出口から吐出した流体の流れによりその流体の吐出方向下流側に向かって移動させる集砂手段を備えたものが知られている。この流体を用いた集砂では、せっかく堆積した砂が、吐出された流体によって巻き上がってしまうことがある。このため、池下部の上方に、吐出方向下流側に向かって下方へ傾斜した傾斜板を、吐出方向に沿って間隔をあけて配置し、その傾斜板によって砂の巻き上がりを防止しようとする沈砂池が提案されている（例えば、特許文献１等参照）。
【先行技術文献】
【特許文献】
【０００３】
【特許文献１】特開平９−７０５０３号公報
【発明の概要】
【発明が解決しようとする課題】
【０００４】
特許文献１に記載された沈砂池では、砂を十分に移動させつつ砂の巻き上がりを防止することはできない。
【０００５】
本発明は、砂を十分に移動させながら砂の巻き上がりを抑えることができる沈砂池を提供することを目的とする。
【課題を解決するための手段】
【０００６】
上記目的を解決する本発明の沈砂池は、
受け入れた水に含まれている砂が池下部に設けられた、集砂ピットに向かって延在した溝内に沈降する沈砂池であって、
前記溝を形成する、上方に向けて開口した溝形成体と、
閉塞した空間を形成し、該空間につながる吸込口が設けられ前記溝に沿って延在する空間形成部材と、
前記空間形成部材を支持する支持部材とを備えたことを特徴とする。
【０００７】
また、前記支持部材は、前記空間形成部材の外周面を支持するものであってもよい。
【０００８】
また、前記支持部材は、前記空間形成部材と前記溝形成体の間に介在したものであってもよい。
【発明の効果】
【０００９】
本発明によれば、砂を十分に移動させながら砂の巻き上がりを抑えることができる沈砂池を提供することができる。
【図面の簡単な説明】
【００１０】
【図１】砂の移動効率のよい沈砂池を上方から見た平面図である。
【図２】図１に示す沈砂池のＡ−Ａ断面図である。
【図３】（ａ）は、図２におけるＢ−Ｂ断面図であり、（ｂ）は、（ａ）におけるＣ−Ｃ断面図である。
【図４】図３に示すトラフにおける、空間形成部材と溝形成体を概念的に説明するための図である。
【図５】（ａ）は、トラフの吐出方向最上流端付近を拡大して示した部分断面図であり、（ｂ）は、（ａ）を右方から見た部分断面図である。
【図６】砂除去方法の流れを示すフローチャートである。
【図７】砂の移動効率のよい第２実施形態の沈砂池を幅方向の中央で切断した断面図である。
【図８】図７に示す沈砂池のＤ−Ｄ断面図である。
【図９】（ａ）は、図３に示す吐出口の変形例を示す断面図であり、（ｂ）は、（ａ）におけるＥ−Ｅ断面図である。
【図１０】溝形成体と空間形成部材それぞれの変形例を示す図である。
【図１１】溝形成体と空間形成部材それぞれの変形例を示す図である。
【図１２】（ａ）は、沈砂池において、砂を十分に移動させながら砂の巻き上がりを抑えるために考えられる工夫をした沈砂池における池下部の一例を示す断面図であり、（ｂ）は、（ａ）に示す支持部材の斜視図である。
【発明を実施するための形態】
【００１１】
以下、図面を参照して本発明の実施の形態を説明する。沈砂池は、下水処理システムの上流側に配置され、下水または雨水などの汚水に含まれる砂を沈降させた後、沈降させた砂を集砂ピットに移動させて汚水から取り除くものである。
【００１２】
図１は、砂の移動効率のよい沈砂池を上方から見た平面図であり、図２は、図１に示す沈砂池のＡ−Ａ断面図である。
【００１３】
図１に示すように、沈砂池１は、除塵機２と、トラフ３と、集砂ピット４と、ポンプ井５とを備えた平面視長方形状の池である。以下、沈砂池１の長辺方向を長手方向と称し、短辺方向を幅方向と称することがある。図１に示す沈砂池１は、図の右側から汚水を受け入れ、受け入れた水は図の左側に向かってゆっくりと流れていく（図１および図２に示す直線の矢印参照）。すなわち、沈砂池の長手方向が水の流れの方向になり、図１および図２では図の右側が沈砂池における水の流れの上流側になり左側が下流側になる。また、後述する吐出口７からは、図１および図２の右側に水が吐出される。すなわち、図１および図２では図の右側が吐出方向下流側になり左側が吐出方向上流側になる。
【００１４】
除塵機２は、沈砂池１に流れ込んできた汚水に混入している混入物（し渣）を除去するためのものであり、トラフ３よりも上流側に設置されている。除塵機２は、無端チェーン２１と、その無端チェーン２１に間隔をあけて取り付けられた複数のレーキ２２と、水中に没する濾過スクリーン２３とを有する。無端チェーン２１は、沈砂池１の幅方向両側それぞれに斜めに起立した状態で設けられたものであり、図２に示すように、地上側スプロケット２１１と、池底側スプロケット２１２に巻きかけられている。無端チェーン２１が駆動すると、レーキ２２は水中を出入りする。濾過スクリーン２３は、無端チェーン２１の下流側に配置されている。この濾過スクリーン２３は、上下方向に延びるバーが所定間隔（例えば、２５ｍｍ〜７５ｍｍ）で並べられたものであり、所定間隔以上の大きさの混入物の通過を遮る。濾過スクリーン２３で遮られた混入物は、レーキ２２によって掻き揚げられ、掻き揚げられた混入物は、地上側で不図示のベルトコンベア等の運搬手段に載せられる。
【００１５】
除塵機２の下流側には、池下部１ａに堆積した砂が集められる集砂ピット４が設けられている。集砂ピット４の内部には、揚砂ポンプ４１が設けられている。この揚砂ポンプ４１は、集砂ピット４の底面近傍に配置されており、集砂ピット４に集められた砂を沈砂池１の外部に搬送するものである。揚砂ポンプ４１には揚砂管４２が接続されている。揚砂ポンプ４１によって吸引された砂は、この揚砂管４２を通して沈砂池１の外部に送られる。
【００１６】
トラフ３は、集砂ピット４とポンプ井５の間に設けられている。すなわち、トラフ３は、集砂ピット４よりも下流側であって、ポンプ井５よりも上流側に設けられている。このトラフ３は、後述するように、沈砂池１の池下部１ａに設けられた溝を形成する溝形成体３１を有するものである。池下部１ａには、後述するように傾斜面６が設けられ、傾斜面６につながるようにトラフ３が設けられている。沈砂池１に流れ込んだ汚水中の砂は、池下部１ａに向かって沈降し、池下部１ａに堆積する。
【００１７】
ポンプ井５は、砂が取り除かれた汚水が貯留されるものである。ポンプ井５は、沈砂池１の最も下流側に配置されている。また、図２に示すように、ポンプ井５の底面が沈砂池１における最深部となっている。ポンプ井５の内部には、揚水ポンプ５１が設けられている。この揚水ポンプ５１は、ポンプ井５に貯留された汚水を沈砂池１の外部に移動するものである。揚水ポンプ５１には揚水管５２が接続されている。揚水ポンプ５１によって吸引された汚水は、この揚水管５２を通して不図示の沈殿池等に送られる。図２に示すＷＬは汚水の水面を表している。なお、この水面ＷＬの位置は、沈砂池１へ流れ込む汚水の量によって、トラフ３の底面からの高さが例えば１ｍ以上５ｍ以下の範囲で変化する。
【００１８】
トラフ３は、図１に示すように沈砂池１の幅方向中央に設けられ、ポンプ井５よりも上流側となる位置から所定方向に延在したものである。すなわち集砂ピット４に向かって延在したものである。トラフ３の上流端は集砂ピット４に接続されており、このトラフ３に堆積した砂は、後述する吐出口から吐出される水の流れによって集砂ピット４まで移動させられる。
【００１９】
また、図１に示す沈砂池１のトラフ３は、空間形成部材３２を備えている。この空間形成部材３２はトラフ３の全長にわたって形成されたものである。空間形成部材３２についての詳しい説明は後述する。
【００２０】
図３（ａ）は、図２におけるＢ−Ｂ断面図である。この図３（ａ）では図の左右方向がトラフ３の幅方向になる。
【００２１】
図３（ａ）には、池下部１ａに設けられた一対の傾斜面６の下部と、その傾斜面６につながるように設けられたトラフ３が示されている。図３（ａ）に示すように、傾斜面６は、トラフ３の幅方向両側に設けられている。この傾斜面６は、トラフ３に向かって下方に傾斜したコンクリート製のものであり、ポンプ井５よりも上流側となる位置と集砂ピット４との間で長手方向に延在している。
【００２２】
また、トラフ３は、図３（ａ）に示すように、それぞれ５／８円弧の断面形状をもち全長１５ｍ程度の、第１円弧状部材３ａと第２円弧状部材３ｂとを有している。第１円弧状部材３ａと第２円弧状部材３ｂは、ステンレス製等のパイプ材の一部を切り欠いて形成したものである。第１円弧状部材３ａは、厚さが３〜４ｍｍ程度、直径が２５０ｍｍ程度のパイプ材における、時計の短針がさす、９時から、１時と２時との間までの部分（３／８円弧）を切り欠いたものである。また、第２円弧状部材３ｂは、厚さが３〜４ｍｍ程度、直径が１５０ｍｍ程度のパイプ材における、時計の短針がさす、４時と５時との間から９時までの部分（３／８円弧）を切り欠いたものである。トラフ３は、第１円弧状部材３ａにおける上記９時に相当する端部に、第２円弧状部材３ｂにおける上記９時に相当する端部を突き合わせて接合することによって形成されている。これら第１円弧状部材３ａと第２円弧状部材３ｂによって、空間形成部材３２と溝形成体３１が形成されている。
【００２３】
図４も参照しつつ、空間形成部材３２と溝形成体３１を説明する。図４は、図３に示すトラフにおける、空間形成部材と溝形成体を概念的に説明するための図である。同図（ａ）は、トラフを示す図であり、同図（ｂ）は、空間形成部材を示す図であり、同図（ｃ）は、溝形成体を示す図である。図４では、左右方向がトラフ３の幅方向になり、紙面と直交する方向がトラフ３の延在方向になる。
【００２４】
図３（ａ）および図４に示すように、トラフ３は、このトラフ３の全長にわたって延在した、空間形成部材３２と溝形成体３１を有している。これら空間形成部材３２と溝形成体３１の幅方向は、トラフ３の幅方向に一致し、これら空間形成部材３２と溝形成体３１の延在方向は、トラフ３の延在方向に一致している。したがって、溝形成体３１によって形成される溝の幅方向も、トラフ３の幅方向に一致し、溝の延在方向も、トラフ３の延在方向に一致している。空間形成部材３２と溝形成体３１それぞれは、一部を互いに共通にした共通部３３を有している。なお、図４では、共通部３３を塗潰して示している。この共通部３３は、上記９時に相当する部分よりも下側の部分が、図３（ａ）に示す第１円弧状部材３ａによって形成され、該９時に相当する部分よりも上側の部分が第２円弧状部材３ｂによって形成されている。このため、共通部３３は、上記９時に相当する部分よりも下側の部分が、第１円弧状部材３ａの曲率になり、該９時に相当する部分よりも上側の部分が、第２円弧状部材３ｂの曲率になる。
【００２５】
図４（ｂ）に示すように、空間形成部材３２は、下方に向かって開口している。以下、下方に向かって開口している部分を空間形成部材３２の吸込口３２ａと称する。この吸込口３２ａは、トラフ３の幅方向に８０ｍｍ以上の長さＬをもった開口であり、図４（ａ）に示すように、溝形成体３１の底３１ａから離間している。溝形成体３１の底３１ａは、溝の底に相当する。すなわち、吸込口３２ａは、溝の底から離間している。空間形成部材３２の上端部分３２１は閉じているが、円弧状であり、下方へ向かって傾斜している。空間形成部材３２は、下端より上の部分が閉塞した空間Ｓ２を形成するものである。この空間Ｓ２は、吸込口３２ａにつながる下端部分が、その吸込口３２ａに近づくほど狭くなっている。
【００２６】
図４（ｃ）に示すように、溝形成体３１は、上方に向かって開口している。以下、図４（ｃ）に示す、溝形成体３１の、幅方向における左側半分を溝形成体３１の一端側と称し、溝形成体３１の、幅方向における右側半分を溝形成体３１の他端側と称する。なお、トラフ３は、図３（ａ）に示すように、第１円弧状部材３ａと第２円弧状部材３ｂとを接合することによって形成したものであるが、溝形成体３１を、傾斜面６と一体にコンクリートで形成してもよい。
【００２７】
図４（ａ）に示すように、空間形成部材３２は、溝形成体３１の他端側と離間した状態で、共通部３３によって溝形成体３１の一端側に接続している。これにより、溝形成体３１の他端側と空間形成部材３２との間は、上方に向かって開口している。以下、上方に向かって開口している部分をトラフ３の開口３４と称する。また、溝形成体３１内の空間のうち、空間形成部材３２の空間Ｓ２を除いた空間を、空間Ｓ１と称する。すなわち、空間Ｓ１と空間Ｓ２を併せた空間が溝に相当し、トラフ３の開口３４は、溝の開口に相当する。本実施形態における空間形成部材３２は、溝内に設けられたものであって、吸込口３２ａは、溝の開口よりも下に位置するものである。
【００２８】
このように、空間形成部材３２は、溝形成体３１の他端側と離間した状態で一端側に接続したものであるため、空間形成部材３２を支持する部材を省略することができる。この結果、トラフ３の全長にわたり、空間形成部材３２を支持する部材によって溝内への砂の沈降が阻害されることがなくなり、空間形成部材３２を支持する部材に紐状の混入物が巻き付きついてしまう問題が解消される。
【００２９】
また、上述のごとく、本実施形態のトラフ３は、直径が２５０ｍｍ程度の第１円弧状部材３ａと、直径が１５０ｍｍ程度の第２円弧状部材３ｂとを接合することによって形成されている。したがって、空間形成部材３２と溝形成体３１の他端側との隙間Ｗは、トラフ３の全長にわたって１００ｍｍ程度は確保されている。さらに、空間形成部材３２と溝形成体３１は、一部を互いに共通にした共通部３３を有しているため、隙間Ｗを確保しやすく、この結果、トラフ３の幅方向における大きさを抑えることができる。なお、上述のごとく上流側には濾過部材（ここでは濾過スクリーン２３）が設置されており、空間形成部材３２と溝形成体３１の他端側との隙間Ｗは、その濾過部材を通過してしまう混入物の最大長（ここではスクリーンの目幅であって７５ｍｍ）よりも長いことが、上流側の濾過部材を通過してしまった混入物がその隙間Ｗに詰まることを防止する上で好ましい。
【００３０】
図３（ａ）に示すように、一対の傾斜面６のうちの一方（図３（ａ）では右側）は、下端部分が溝形成体３１の他端側の端部に接続し、一対の傾斜面６のうちの他方（図３（ａ）では左側）は、空間形成部材３２の上端部分３２１に接続している。本実施形態では、一方の傾斜面６は下方に４５度傾斜し、他方の傾斜面６は下方に４２度傾斜している。沈砂池１に流れ込んだ汚水に含まれている砂は、汚水が下流側へ流れていく課程において池下部１ａに沈降していくが、沈砂池１の上流側の池下部１ａに堆積しやすい。池下部１ａに沈降してきた砂のうち、傾斜面６に沈降した砂は、傾斜面６に沿ってさらにトラフ３に向かって流れ落ちる。一方の傾斜面６から流れ落ちた砂は、トラフ３の開口３４から溝内に入り込む。また、他方の傾斜面６から流れ落ちた砂は、空間形成部材３２における円弧状の側面３２２をつたって、トラフ３の開口３４から溝内に入り込む。他方の傾斜面６は、空間形成部材３２の上端部分３２１に接続しているため、空間形成部材３２の上端部分３２１と他方の傾斜面６との接続部分に砂が残り難くなる。これらによって、池下部１ａに沈降してきた砂は、まずは、溝の底部分に集められる。
【００３１】
ここで、図１や図２に示すように、給水管７１が、５ｍ程度おきにトラフ３に接続されている。
【００３２】
図３（ｂ）は、同図（ａ）におけるＣ−Ｃ断面図である。この図３（ｂ）では図の左右方向がトラフ３の延在方向になり、図の右側が上流側（集砂ピット４側）になり左側が下流側（ポンプ井５側）になる。
【００３３】
図３（ａ）および同図（ｂ）に示すように、給水管７１は、他方（図３（ａ）では左側）の傾斜面６に沿って配置され、下端部分が空間形成部材３２の上端部分３２１を貫通し、空間形成部材３２の空間Ｓ２と連通している。また、空間形成部材３２の空間Ｓ２における、給水管７１が連通する領域には、空間Ｓ２内に流体を吐出する吐出口７が設けられている。この吐出口７は、空間形成部材３２における空間Ｓ２の上側部分を、仕切部材７２で仕切ることによって形成されている。仕切部材７２は、トラフ３の延在方向に水平な状態で延在した水平部７２１と、この水平部７２１の下流側（ポンプ井５側）の端部から上方に向けて傾斜した傾斜部７２２を有している。水平部７２１は、空間形成部材３２の内周面における、上端部を挟んだ幅方向の両側に接続し、その上流側（集砂ピット４側）の端部が給水管７１の下端部分よりも上流側に位置している。また、傾斜部７２２は、その下流側の端部が、空間形成部材３２の内周面における、給水管７１の下端部分が接続した部分よりも下流側に接続し、吐出口７の下流側を閉塞している。これらによって、空間形成部材３２の空間Ｓ２における、給水管７１が連通する領域が、仕切部材７２によって仕切られている。このように、仕切部材７２は、水平部７２１の幅方向の両端部が空間形成部材３２に接続し、傾斜部７２２の下流側の端部が空間形成部材３２に接続しているため、この仕切部材７２に紐状の混入物が巻き付くことが防止される。
【００３４】
吐出口７からは、給水管７１から供給された水が、上流側に向けて水平方向あるいは略水平方向に吐出される（図３（ｂ）中の右向きの矢印参照）。すなわち、図３（ｂ）では、図の右側が吐出方向下流側になり、図の左側が吐出方向上流側になる。
【００３５】
図３に示す吐出口７は、吐出方向最下流側、すなわち集砂ピット４に最も近い位置に設けられたものである。
【００３６】
吐出口７から空間形成部材３２の空間Ｓ２内に水が吐出されることで、空間形成部材３２の内（空間Ｓ２）と外（空間Ｓ１）とで圧力差が生じ、溝の底に堆積した砂は、図３（ａ）に示す曲線の矢印のように、吸込口３２ａから空間Ｓ２内に吸い込まれる。さらに、その空間形成部材３２の空間Ｓ２内では、吸い込まれた砂が、吐出口７から吐出された水の流れによって吐出方向下流側（集砂ピット４側）に向かって移動する。図３（ａ）に示すように、吸込口３２ａは、幅方向（空間形成部材３２の延在方向に直交する方向）に絞られた開口であって、空間Ｓ２はその吸込口３２ａから拡がった空間である。このように吸込口３２ａが絞られた開口であることによって、空間Ｓ２内を移動する砂がその空間Ｓ２内から外に出にくくなり、砂の巻き上がりがより抑えられる。また、空間Ｓ２内における水の流れを維持しやすくなり、砂をより遠くまで移動させることができる。
【００３７】
以上説明した吐出口７の構造は、給水管７１に接続したいずれの吐出口７においても同様である。また、吐出口７は、トラフ３の吐出方向最上流端部分にも設けられている。以下、トラフ３の吐出方向最上流端部分に設けられた吐出口７を上流吐出口と称し、図１や図２に示す、給水管７１が接続した吐出口７のうち、集砂ピット４から遠い方の吐出口７を中間吐出口と称し、集砂ピット４に近い方の吐出口７を下流吐出口（図３に示す吐出口７）と称して区別することがある。すなわち、トラフ３の上流側に設けられた吐出口７が上流吐出口になり、トラフ３の下流側に設けられた吐出口７が下流吐出口になり、上流吐出口と下流吐出口の間に設けられた吐出口が中間吐出口になる。なお、図１に示す沈砂池からみると、上記上流吐出口は沈砂池における水の流れの下流側に設けられたものになるり、上記下流吐出口はその上流側に設けられたものになる。図５（ａ）は、トラフの吐出方向最上流端付近を拡大して示した部分断面図である。この図５（ａ）では、図の右側が吐出方向下流側になり、図の左側が吐出方向上流側になる。
【００３８】
図５（ａ）に示すように、トラフ３の吐出方向最上流端となる端面には、板状の上流端面壁３６が取り付けられている。
【００３９】
図５（ｂ）は、図５（ａ）を右方から見た部分断面図である。すなわち、図５（ｂ）は、上流端面壁３６を吐出方向下流側から見た図であり、紙面の奥側が吐出方向上流側になる。
【００４０】
図５（ａ）および同図（ｂ）には、トラフ３の吐出方向最上流端部分に設けられた上流吐出口７が示されている。この上流吐出口７は、下流吐出口７（図３に示す吐出口７）の仕切部材７２における傾斜部７２２が省略され、水平部７２１の吐出方向上流側端部が上流端面壁３６に接続されて形成されている。上流端面壁３６における、上流吐出口７の吐出方向上流側には、扁平な長孔形状の吐出開口３６ａが形成されている。この吐出開口３６ａの吐出方向上流側には、Ｌ型管７３が接続されている。このＬ型管７３は、平面視でＬ字型をした管であり、水を供給する不図示の供給管が接続されている。供給官から供給される水は、Ｌ型管７３を通って吐出開口３６ａから吐出方向下流側に吐出され、さらに上流吐出口７から水平方向あるいは略水平方向に吐出される（図５（ａ）の矢印参照）。なお、上流吐出口７は、下流吐出口７（図３に示す吐出口７）と同様に、Ｌ型管７３に代えて、給水管７１を空間形成部材３２の上端部分３２１に接続する構成にしてもよい。
【００４１】
これら３つの吐出口７は、いずれも水の吐出流速を８ｍ／ｓｅｃ以上とすることが好ましい。８ｍ／ｓｅｃ未満では、流速不足になってきてしまい、水圧との関係では砂を所定距離移動させられない場合も生じる。砂を所定距離移動させられなくなると、砂の移動方向に吐出口が多く必要になり、吐出口までの配管の数も多くなるため装置が雑多となり不経済である。また、各吐出口７における水の吐出圧は、０．０５ＭＰａ以上０．３ＭＰａ以下である。
【００４２】
以上説明した本実施形態の沈砂池１によれば、砂を十分に移動させながら砂の巻き上がりを抑えることができる。また、汚水に含まれている紐状の混入物の巻き付きを十分に抑えることができる。
【００４３】
続いて、本実施形態の沈砂池１の池下部１ａに堆積した砂をその沈砂池１から除去する砂除去方法について説明する。
【００４４】
図６は、砂除去方法の流れを示すフローチャートである。
【００４５】
沈砂池１に流れ込んだ汚水は図２に示す除塵機２を通過する際に、その汚水に混入している混入物（し渣）が取り除かれる。除塵機２を通過した汚水は、集砂ピット４を越えて、トラフ３の上流端に到達し、トラフ３の延在方向に向かってさらに流れる。汚水は、トラフ３の上流側部分を流れる間に、汚水に含まれている砂の多くが沈砂池１の池下部１ａに沈降していく。集砂ピット４に沈降する砂もあれば、傾斜面６に沈降する砂もあり、傾斜面６に沈降した砂は傾斜面６に沿って更にトラフ３に向かって流れ落ちる。また、空間形成部材３２の上端部分３２１まで沈降した砂は、空間形成部材３２の円弧状の側面３２２をつたって、溝形成体３１の底部に向かって流れ落ちる。こうして、溝内に砂が堆積する。
【００４６】
本実施形態における砂除去方法では、まず、図１や図２に示す揚砂ポンプ４１を駆動させ、後述する集砂工程を実施する前に集砂ピット４内の砂を集砂ピット４から除去しておく（ステップＳ１）。この段階で集砂ピット４に堆積している砂は、沈砂池１に流れ込んだ汚水中の砂のうち、主として、集砂ピット４に沈降して集砂ピット４に堆積した砂である。
【００４７】
次に、揚砂ポンプ４１を駆動させた状態で、３つの吐出口７のうち図３に示す下流吐出口７のみから、毎分１５００リットルの水を水中下で３分間吐出する（ステップＳ２）。このステップＳ２では、空間形成部材３２によって仕切られた空間Ｓ２内に、水が吐出される。下流吐出口７から空間Ｓ２内に水が吐出されることで、空間形成部材３２の内（空間Ｓ２）と外（空間Ｓ１）とで圧力差が生じ、溝内の上流側部分に堆積した砂は、吸込口３２ａから空間Ｓ２内に吸い込まれる（図３（ａ）に示す曲線の矢印参照）。さらに、その空間形成部材３２の空間Ｓ２内では、吸い込まれた砂が、下流吐出口７から吐出された水の流れによって集砂ピット４に向かって移動する。空間形成部材３２の空間Ｓ２内を移動する砂は、上記圧力差が生じている部分では、空間形成部材３２の外に出にくく、砂の巻き上がりが抑えられる。こうして、溝内の吐出方向下流側部分に堆積した砂は、空間形成部材３２の空間Ｓ２内を移動し、やがて集砂ピット４に到達する。集砂ピット４に到達した砂は、先のステップＳ１で駆動を開始した揚砂ポンプ４１によって沈砂池１の外部に搬送され、沈砂池１からの砂が除去される。ここでの砂の除去が、排出工程の一例に相当する。
【００４８】
次いで、下流吐出口７からの水の吐出を中止し、今度は、３つの吐出口７のうち中間吐出口７のみから、毎分１５００リットルの水を水中下で３分間吐出する（ステップＳ３）。このステップＳ３の実施中にも、揚砂ポンプ４１の駆動は継続している。ステップＳ３でもステップＳ２と同様に空間形成部材３２の空間Ｓ２内に水を吐出することで、空間形成部材３２の内（空間Ｓ２）と外（空間Ｓ１）とで圧力差が生じ、今度は、溝内の中間吐出口７周辺に堆積した砂が、吸込口３２ａから空間Ｓ２内に再び吸い込まれる。さらに、吸い込まれた砂は、中間吐出口７から吐出された水の流れによって図３に示す下流吐出口７に向かって空間形成部材３２の空間Ｓ２内を移動し、下流吐出口７の周辺まで到達する。下流吐出口７の周辺では中間吐出口７からの水の勢いが低下することで、下流吐出口７の周辺まで到達した砂は、吸込口３２ａから溝形成体３１の底部に向かって降下し、一旦、トラフ３の空間Ｓ１に戻る。すなわち、トラフ３の空間Ｓ１における下流吐出口７周辺に砂が堆積する。
【００４９】
次に、中間吐出口７からの水の吐出を中止し、再び、図３に示す下流吐出口７のみから、ステップＳ２と同様に、毎分１５００リットルの水を水中下で３分間吐出する（ステップＳ４）。このステップＳ４によっても、トラフ３の空間Ｓ１における下流吐出口７周辺に堆積した砂が、吸込口３２ａから空間Ｓ２内に吸い込まれ、吸い込まれた砂は、集砂ピット４に向かって空間Ｓ２内を移動し、やがて集砂ピット４に到達する。このステップＳ４の実施中にも、揚砂ポンプ４１の駆動は継続しており、集砂ピット４に到達した砂は、揚砂ポンプ４１によって沈砂池１から除去される。すなわち、ここでも排出工程の一例に相当する、揚砂ポンプ４１による砂の除去が、併せて行われる。
【００５０】
今度は、下流吐出口７からの水の吐出を中止し、３つの吐出口７のうち上流吐出口７のみから毎分１５００リットルの水を水中下で３分間吐出する（ステップＳ５）。このステップＳ５の実施中にも、揚砂ポンプ４１の駆動は継続している。ステップＳ５でもステップＳ２〜ステップＳ４と同様に空間形成部材３２の空間Ｓ２内に水を吐出することで、空間形成部材３２の内（空間Ｓ２）と外（空間Ｓ１）とで圧力差が生じ、トラフ３の空間Ｓ１における上流吐出口７周辺に堆積した砂が、吸込口３２ａから空間Ｓ２内に吸い込まれる。さらに、吸い込まれた砂は、上流吐出口７から吐出された水の流れによって中間吐出口７に向かって空間形成部材３２の空間Ｓ２内を移動し、中間吐出口７の周辺まで到達する。中間吐出口７の周辺では上流吐出口７からの水の勢いが低下することで、中間吐出口７の周辺まで到達した砂は、吸込口３２ａから溝形成体３１の底部に向かって降下し、トラフ３の空間Ｓ１における中間吐出口７周辺に砂が堆積する。
【００５１】
続いて、上流吐出口７からの水の吐出を中止し、再び、中間吐出口７のみから、ステップＳ３と同様に、毎分１５００リットルの水を水中下で３分間吐出する（ステップＳ６）。このステップＳ６の実施中にも、揚砂ポンプ４１の駆動は継続している。ステップＳ６によっても、トラフ３の空間Ｓ１における中間吐出口７周辺に堆積した砂が、吸込口３２ａから空間Ｓ２内に吸い込まれ、吸い込まれた砂は、下流吐出口７に向かって空間Ｓ２内を移動し、やがてトラフ３の空間Ｓ１における下流吐出口７周辺に砂が堆積する。
【００５２】
次に、中間吐出口７からの水の吐出を中止し、三度、図３に示す下流吐出口７のみから、ステップＳ２と同様に、毎分１５００リットルの水を水中下で３分間吐出する（ステップＳ７）。このステップＳ７によっても、トラフ３の空間Ｓ１における下流吐出口７周辺に堆積した砂が、吸込口３２ａから空間Ｓ２内に吸い込まれ、吸い込まれた砂は、集砂ピット４に向かって空間Ｓ２内を移動し、やがて集砂ピット４に到達する。このステップＳ７の実施中にも、揚砂ポンプ４１の駆動は継続しており、集砂ピット４に到達した砂は、揚砂ポンプ４１によって沈砂池１から除去される。すなわち、ここでも排出工程の一例に相当する、揚砂ポンプ４１による砂の除去が、併せて行われる。また、揚砂ポンプ４１は、下流吐出口７からの水の吐出を終了した後も所定時間の間は駆動し続け、排出工程の一例に相当する砂の除去は継続して行われる。
【００５３】
こうして、受け入れた水に含まれていた砂は、６段階にわたる空間形成部材３２の空間Ｓ２内の移送を経て、集砂ピット４に集まる。以上説明したステップＳ２〜ステップＳ７までが、集砂工程に相当する。この集砂工程は、沈砂池１の水を排水し、沈砂池１の水を減らしたり、総て無くしてから行う必要はなく、沈砂池に汚水を連続的に受け入れている状態で実施する。なお、集砂工程で吐出口７から吐出する流体は、汚水処理場に受け入れた汚水を使用してもよいが、その他の流体であってもよい。
【００５４】
そして、上記所定時間が経過すると、ステップＳ１で駆動を開始した揚砂ポンプ４１を停止し（ステップＳ８）、所定時間が経過すると、あるいは沈降してきた砂によって集砂ピット４に砂がある程度堆積すると、再びステップＳ１が実施される。このように、ステップＳ１〜ステップＳ８は、汚水の受け入れを開始してから、繰り返し実施される。
【００５５】
なお、以上の説明では、揚砂ポンプ４１の駆動は、ステップＳ１で開始してからステップＳ８で停止するまで継続するが、集砂ピット４内の砂が一定量まで減ったら停止するようにしてもよいし、揚砂ポンプ４１の駆動を、ステップＳ３，ステップＳ５〜ステップＳ６の実施中には、停止するようにしてもよい。
【００５６】
本実施形態の砂除去方法によれば、沈砂池１内で、砂の巻き上がりを抑えつつ砂を十分に移動させて、その沈砂池から砂を除去することができる。また、本実施形態の砂除去方法では、砂の移送方向を、下流側から上流側に向かう方向とすることで、沈砂池１の最も下流側に配置されたポンプ井５に砂が流入することを防止している。すなわち、本実施形態では、吐出方向下流側、すなわち砂の移送方向下流側（本実施形態では沈砂池１の上流側に相当）に集砂箇所（本実施形態では集砂ピット４）を設け、吐出方向上流側、すなわち砂の移送方向上流側（本実施形態では沈砂池１の下流側に相当）に汚水排出箇所（本実施形態ではポンプ井５）を設けている。
【００５７】
次に、第２実施形態の沈砂池１について説明する。これより後の説明では、これまで説明した構成要素の名称と同じ名称の構成要素には、これまで用いた符号を付して説明し、重複する説明は省略することがある。
【００５８】
図７は、砂の移動効率のよい第２実施形態の沈砂池を幅方向の中央で切断した断面図である。この図７でも図の右側が上流側になり左側が下流側になる。
【００５９】
図７に示す沈砂池１は、図１に示す沈砂池１とは集砂ピット４を設けた位置が異なる。図７に示す沈砂池１では、集砂ピット４の上流側に上流側トラフ３’を有し、集砂ピット４の下流側に下流側トラフ３’’を有する。上流側トラフ３’の全長は、５ｍ程度であり、下流側トラフ３’’の全長は、上流側トラフ３’の２倍の１０ｍ程度である。上流側トラフ３’には、給水管７１が接続した吐出口７が上流端部分に１つ設けられ、下流側トラフ３’’には、給水管７１が接続した吐出口７が、その延在方向の中間部分と下流端部分それぞれに設けられている。なお、上流側トラフ３’の吐出口７と、下流側トラフ３’’の下流端部分に設けられた吐出口７を、第１実施形態の沈砂池１における、図５に示す吐出口７と同様の構成にしてもよい。また、上流側トラフ３’よりもさらに上流側には、図２に示す除塵機２と同じ除塵機２が設置されているが、この図７では図示省略されている。
【００６０】
図８は、図７に示す沈砂池のＤ−Ｄ断面図である。この図８では図の左右方向がトラフの幅方向になる。
【００６１】
第２実施形態の沈砂池１は、スクリューコンベア等が配置されていたトラフを有する、池の池下部１ａを改修した池である。改修前のトラフは、集砂ピット４の、上流側、下流側ともに幅方向に２つ並べて形成されており、トラフそれぞれの幅方向の寸法が、４００ｍｍ程度である。また、これらトラフそれぞれには、幅方向の両側に傾斜面が接続されている。図８では、池下部１ａの、改修される前の部分８をクロスハッチングで示している。以下、改修前のトラフを、既存トラフ８３と称し、改修前の傾斜面を、既存傾斜面８６と称する。
【００６２】
第２実施形態の沈砂池１は、スクリューコンベアを撤去等した既存トラフ８３内に、上流側トラフ３’および下流側トラフ３’’それぞれを配置し、既存傾斜面８６を利用して傾斜面６を形成した池である。
【００６３】
図８に示すように、第２実施形態の沈砂池１は、下流側トラフ３’’が、２つの既存トラフ８３内にそれぞれ配置され、既存トラフ８３と下流側トラフ３’’との間にコンクリートＣが打設されている。２つの下流側トラフ３’’は、それぞれの空間形成部材３２が、幅方向の外側に位置するように幅方向に対象な状態に配置され、それぞれの空間形成部材３２の上端部分には、幅方向の外側から一点鎖線で示す給水管７１が接続されている。また、打設したコンクリートＣによって、傾斜面６における、既存傾斜面８６から下流側トラフ３’’に接続する部分が形成されている。なお、この傾斜面６における、既存傾斜面８６から下流側トラフ３’’に接続する部分は、金属等の板材で形成してもよい。以上説明した下流側トラフ３’’とこの下流側トラフ３’’に接続する傾斜面６の構造は、上流側トラフ３’とこの上流側トラフ３’に接続する傾斜面６においても同様である。
【００６４】
第２実施形態の沈砂池１では、スクリューコンベア等が配置されていたトラフを有する既存の池下部を利用することができる。なお、図１に示す第１実施形態の沈砂池１も、スクリューコンベア等が配置されていたトラフを有する既存の池下部を改修したものであってもよい。
【００６５】
続いて、これまで説明してきた沈砂池１の変形例について、これまで説明した構成とは異なる点を中心に説明する。また、以下に説明する変形例の図面では、円で囲んだ部分に、空間形成部材３２と溝形成体３１を概念的に示している。
【００６６】
図９（ａ）は、図３に示す吐出口の変形例を示す断面図であり、同図（ｂ）は、同図（ａ）におけるＥ−Ｅ断面図である。図３（ａ）では図の左右方向がトラフ３の幅方向になり、図３（ｂ）では図の左右方向がトラフ３の延在方向になる。
【００６７】
図９に示す池下部１ａは、図３に示す池下部１ａと比べて、吐出口７を空間形成部材３２から取り外すことができる点が異なる。図９に示すように、空間形成部材３２の上側部分には、着脱自在な蓋体３２３が設けられ、この蓋体３２３に上方から給水管７１が接続されるとともに、蓋体３２３の下面に仕切部材７２が取り付けられている。給水管７１の、蓋体３２３に接続する先端部分には、取り外し自在なＬ型継手７１１が設けられている。仕切部材７２は、Ｕ字状の断面形状を有するＵ字状部７２３と、このＵ字状部７２３の下流側端部に接続した傾斜部７２２を有し、Ｕ字状部７２３の幅方向両端部分と、傾斜部７２２の下流側端部が蓋体３２３の下面に溶接等で固着されている。Ｕ字状部７２３と蓋体３２３とによって、吐出口７が形成されている。
【００６８】
図９に示す池下部１ａでは、給水管７１からＬ型継手７１１を取り外した後、空間形成部材３２から、蓋体３２３とともに吐出口７を取り外し、この吐出口７のメンテナンス等を行うことができる。なお、空間形成部材３２における、仕切部材７２が取り付けられている部分の近傍に開口を設け、この開口から手を伸ばして吐出口７のメンテナンス等を行うことができるようにしてもよい。なお、この開口は、取り外し自在な蓋体や、ヒンジ等で連結された開閉自在な蓋体等で閉塞される。
【００６９】
図１０および図１１は、溝形成体と空間形成部材の変形例を示す図である。図１０および図１１では図の左右方向がトラフ３の幅方向になる。なお、図１０および図１１では、図面を簡略化するため、給水管は省略している。
【００７０】
図１０（ａ）に示すトラフ３は、図の円内に概念的に示すように、Ｕ字状の断面形状をもったコンクリート製の溝形成体３１と、図３（ａ）に示す第２円弧状部材３ｂと同じ形状の空間形成部材３２とを有している。空間形成部材３２は、溝形成体３１の一端側における上端部分（図１０（ａ）の点線参照）に接続している。これにより、空間形成部材３２の空間Ｓ２は、溝形成体３１によって形成された溝よりも上方に位置する領域を有している。すなわち、本変形例の空間形成部材３２は、その一部が溝の外に設けられたものである。
【００７１】
図１０（ｂ）に示すトラフ３は、図の円内に概念的に示すように、Ｕ字状の断面形状をもった溝形成体３１と、この溝形成体３１における一端側の一部を共通にした空間形成部材３２とを有している。溝形成体３１と空間形成部材３２との共通部分は、溝形成体３１の一端側部分における上下方向の途中部分に相当する。すなわち、本変形例の空間形成部材３２は、溝内に設けられたものであって、溝形成体３１の一端側における上下方向の途中部分に接続したものである。これにより、空間形成部材３２の空間Ｓ２は、溝形成体３１によって形成された溝における上下方向の間に位置している。なお、空間形成部材３２の、溝内に突出した部分は、下方に向けて円弧状に湾曲しているため、空間形成部材３２上に砂が溜まってしまうことが少なくなる。
【００７２】
図１１（ａ）に示すトラフ３は、図の円内に概念的に示すように、上方が開放したコ字状の断面形状をもった溝形成体３１と、下方が開放したコ字状の断面形状をもった空間形成部材３２とを有している。これらのように、溝形成体３１と空間形成部材３２は、断面形状がコ字状であってもよく、また、Ｖ字状等であってもよい。さらに、円弧状やＵ字状の断面形状を持った、溝形成体３１または空間形成部材３２と、コ字状の断面形状を持った、溝形成体３１または空間形成部材３２との組合せでもよい。
【００７３】
図１１（ｂ）に示すトラフ３の溝形成体３１は、Ｕ字状の断面形状をもったＵ字状部３１１と、このＵ字状部３１１の一端側端部からトラフ３の幅方向の内側に延在した水平部３１２と、この水平部３１２の先端部分から下方に向いた取付部３１３を有している。空間形成部材３２は、下方に開口した、３／４円弧の断面形状をもったものである。空間形成部材３２は、その上端部分が、溝形成体３１の取付部３１３に取り付けられている。本変形例の、空間形成部材３２は、溝形成体３１の一部と共通にした共通部を有しないものである。
【００７４】
これら図１０および図１１に示す変形例においても、空間形成部材３２を支持する部材を省略することができ、トラフ３の全長にわたってトラフ３の開口３４から溝内への砂の沈降が確保される。また、空間形成部材３２を支持する部材に紐状の混入物が巻き付いてしまうといった問題を解消することができる。
【００７５】
本発明は上述の実施の形態に限られることなく特許請求の範囲に記載した範囲で種々の変更を行うことが出来る。例えば、上記実施の形態では、空間形成部材３２を、トラフ３の全長にわたって設けているが、受け入れた汚水に含まれている紐状の混入物が巻きつく恐れのない範囲で、空間形成部材３２を、トラフ３の全長よりやや短くしてもよい。特にトラフ３の全長が長い場合などは、空間形成部材３２を、紐状の混入物が巻きつく恐れのない範囲で、トラフ３の延在方向に分割してもよい。また、吐出口７の配置位置は、空間形成部材３２の空間Ｓ２における上側に限られず、空間Ｓ２における下側や中央等、空間Ｓ２内のどの位置に設けてもよい。さらに、吐出口７は、空間形成部材３２の空間Ｓ２内に設置されている必要は必ずしもなく、空間形成部材３２（吸込口３２ａ）よりも下方で斜め上方を向いて設置され、空間形成部材３２の空間Ｓ２内に流体を吐出することができるものであってもよい。
【００７６】
なお、以上説明した各変形例の記載それぞれにのみ含まれている構成要件であっても、その構成要件を他の変形例に適用してもよい。
【００７７】
図１２（ａ）は、沈砂池において、砂を十分に移動させながら砂の巻き上がりを抑える工夫をした沈砂池における池下部の一例を示す断面図である。
【００７８】
図１２（ａ）に示す、池下部９は、溝を形成するトラフ９１と、このトラフ９１の幅方向両側に設けられた傾斜面９２と、トラフ９１に沿って延在した空間形成部材９３と、空間形成部材９３を支持する支持部材９４と、吐出口９５を備えている。図１２（ａ）では、紙面と直交する方向がトラフ９１の延在方向になり、図の左右方向がトラフ９１の幅方向になる。トラフ９１は、例えば、全長１０〜２０ｍ程度で幅が３００〜３５０ｍｍ程度に形成されている。空間形成部材９３は、トラフ３の全長にわたって延在し、上端部分が閉塞した空間Ｓ９を形成するものである。また、空間形成部材９３には、下方に開放しトラフ９１の底部から離間した吸込口９３ａが設けられている。吐出口９５は、空間Ｓ９内に配置され、図示しない給水管から供給された水が空間形成部材９３に沿って吐出されるものであり、図１２（ａ）では、紙面手前側が吐出方向下流側になる。
【００７９】
図１２（ｂ）も参照しつつ、支持部材９４を説明する。同図（ｂ）は、同図（ａ）に示す支持部材の斜視図である。
【００８０】
図１２（ｂ）に示すように、支持部材９４は、板状の水平部９４１と、この水平部９４１に溶接等によって固定された、板状の垂直部９４２を有している。同図（ａ）に示すように、支持部材９４は、水平部９４１がトラフ９１の上方を塞ぐように設置されている。支持部材９４は、トラフ９１内への砂の沈降を阻害しないように、トラフ９１の延在方向における水平部９４１の長さが、例えば１００〜２００ｍｍ程度に形成され、トラフ９１に沿って数ｍおきに複数設置される。空間形成部材９３は、その上端部分が、水平部９４１の下面に固定されている。また、垂直部９４２には、円弧状の切欠９４２ａが形成され、この切欠９４２ａに空間形成部材９３が嵌り込んだ状態で固定されている。この垂直部９４２は、受け入れた汚水に含まれている紐状の混入物（例えば、髪の毛やビニール紐）の巻き付きを防止するためのものである。
【００８１】
図１２（ａ）に示す池下部９は、受け入れた汚水によって水中に没した状態になっており、その汚水に含まれている砂がトラフ９１内に沈降する。吐出口９５から水を水中下で吐出すると、空間形成部材９３の内（空間Ｓ９）と外とで圧力差が生じ、トラフ９１に堆積した砂は、吸込口９３ａから吸い込まれる（図１２（ａ）に示す曲線の矢印参照）。さらに、空間形成部材９３の空間Ｓ９内では、吸い込まれた砂が、吐出口９５から吐出された水の流れによって吐出方向下流側に移動する。この結果、砂を十分に移動させながら砂の巻き上がりを抑えることができる。
【００８２】
これまでに説明した沈砂池は、受け入れた水に含まれている砂が池下部に設けられた溝内に沈降する沈砂池であって、
上端部分が閉塞した空間を形成し、該上端部分より下方に前記溝の底から離間した吸込口が設けられた空間形成部材と、
前記空間内に流体を吐出する吐出口とを備え、
前記吸込口は、前記溝内に堆積した砂を、前記吐出口から流体が吐出されることで前記空間内に吸い込む開口として機能するものであり、
前記空間形成部材は、前記空間内に吸い込まれた砂が、前記吐出口から流体が吐出されることで該流体の吐出方向下流側に向かって移動する経路として機能するものであり、
前記池下部は、前記溝を形成する溝形成体を有するものであり、
前記空間形成部材は、前記溝形成体の、前記溝の延在方向に直交した幅方向における一端側と他端側とのうち、該他端側と離間した状態で該一端側に接続し、該溝の延在方向に沿って設けられたものであることを特徴とする。
【００８３】
ここで、前記空間形成部材は、十分な長さを持ちながら溝の延在方向に間隔をあけて設けられたものであってもよい。なお、ここにいう十分な長さとは、通常考えられる紐状の混入物の長さよりも長ければよい。
【００８４】
また、上記溝形成体と上記空間形成部材それぞれは、断面形状がＣ字状（円弧状）、Ｕ字状、Ｖ字状、コ字状等であってもよい。
【００８５】
上記空間形成部材は、上記溝形成体の上記一端側の上端部分に接続するものであってもよく、該一端側の、上下方向における途中部分に接続するものであってもよい。
【００８６】
前記沈砂池によれば、上記吐出口から上記空間内に流体が吐出されることで、上記空間形成部材の内（上記空間）と外とで圧力差が生じ、上記池下部に堆積した砂が、上記吸込口から上記空間内に吸い込まれる。さらに、その空間内では、吸い込まれた砂が、上記流体の流れによって吐出方向下流側に向かって移動する。上記空間内を移動する砂は、上記圧力差が生じている部分では、上記空間形成部材の外に出にくく、砂の巻き上がりが抑えられる。また、上記空間形成部材は、上記溝形成体の、上記他端側と離間した状態で上記一端側に接続し、上記溝の延在方向に沿って設けられたものであるため、上記溝形成体の他端側と上記空間形成部材との間から砂の沈降を受入れることができる。このため、上記空間形成部材を上記溝の延在方向に長く形成することができ、長い混入物の巻き付きを抑えることができる。
【００８７】
また、前記沈砂池において、上記空間形成部材は、上記溝内に設けられたものであって、
上記吸込口は、上記溝の開口よりも下に位置するものであってもよい。
【００８８】
この態様によれば、上記溝内に沈降した砂が上記吸込口から上記空間内に吸い込まれ易くなり、砂をより効率的に移動させることができる。
【００８９】
また、前記沈砂池において、上記空間形成部材は、一部を上記溝形成体の一部と共通にしたものであってもよい。
【００９０】
このように一部を共通にすることによって、上記溝内へ砂を沈降させる、上記溝形成体の上記他端側と上記空間形成部材との間の空間を確保しやすくなり、砂が溝内により沈降しやすくなる。
【００９１】
ここで、上記空間形成部材と上記溝形成体それぞれは、断面形状が、曲率が異なる円弧状のものであってもよい。この場合、上記空間形成部材と上記溝形成体との共通部分は、該空間形成部材の曲率のものであってもよいし、該溝形成体の曲率のものであってもよく、該空間形成部材の曲率の部分と該溝形成体の曲率の部分とを組み合せたものであってもよい。
【００９２】
さらに、前記沈砂池において、上記空間形成部材は、上記上端部分が曲面で構成されたものであってもよい。
【００９３】
こうすることで、砂が上記空間形成部材上に溜まってしまうことが抑制される。
【００９４】
また、前記沈砂池において、上記池下部は、上記溝の幅方向の両側に、該溝に向かって下方に傾斜した一対の傾斜面を有するものであり、
上記一対の傾斜面のうちの一方は、下端部分が上記溝形成体の上記他端側に接続したものであり、
上記一対の傾斜面のうちの他方は、下端部分が上記空間形成部材の上記上端部分に接続したものであってもよい。
【００９５】
上記一対の傾斜面のうちの一方は、下端部分が上記溝形成体の上記他端側に接続したものであるため、該一方の傾斜面から上記溝内に砂が流れ込む。また、上記一対の傾斜面のうちの他方は、下端部分が上記空間形成部材の上記上端部分に接続したものであるため、該他方の傾斜面から、曲面で構成された該空間形成部材の該上端部分に流れ落ちた砂が、該空間形成部材の該上端部分に溜まることなく該溝内にスムーズに流れ込む。
【００９６】
さらに、前記沈砂池において、上記空間形成部材は、上記溝の略全長にわたって上記一端側に接続したものであってもよい。
【００９７】
こうすることで、上記溝の略全長にわたって、砂を上記空間に吸い込むことができ、また、上記空間形成部材自身に混合物が巻き付く可能性がより低減される。
【００９８】
また、以上の記載では、
受け入れた水に含まれている砂が池下部に設けられた溝内に沈降する沈砂池であって、
前記溝を形成する、上方に向けて開口した第１円弧状部を有する溝形成体と、
閉塞した空間を形成し、該空間につながる吸込口が設けられた空間形成部材とを備え、
前記吸込口は、前記溝内に堆積した砂を、前記空間内に流体が吐出されることで該空間内に吸い込む開口として機能するものであり、
前記空間形成部材は、前記空間内に吸い込まれた砂が、該空間内に流体が吐出されることで該流体の吐出方向下流側に向かって移動する経路として機能するものであって、前記溝の延在方向に沿って設けられ、下方に向けて開口し前記第１円弧状部よりも径方向に小さな第２円弧状部を有するものであり、
前記第１円弧状部と前記第２円弧状部は延在方向に直交した幅方向におけるそれぞれの一端が接続することで該第１円弧状部に該第２円弧状部が支えられ、該第１円弧状部から該第２円弧状部にかけて、内周面が連続した曲面で構成されていることを特徴とする沈砂池。
について説明した。
【００９９】
またさらに、以上の記載では、
受け入れた水に含まれている砂が池下部に設けられたトラフの溝内に沈降する沈砂池であって、
前記トラフは、前記溝を形成する、上方に向けて開口した溝形成体と、閉塞した空間を形成し、該空間につながる吸込口が設けられ前記溝に沿って延在する空間形成部材とによって構成されたものであり、
前記吸込口は、下向きの開口であって、前記溝内に堆積した砂を、前記空間内に流体が吐出されることで該空間内に吸い込む開口として機能するものであり、
前記空間形成部材は、前記空間内に吸い込まれた砂が、該空間内に流体が吐出されることで該流体の吐出方向下流側に向かって移動する経路として機能するものであり、
前記溝形成体における、前記溝の延在方向に直交した幅方向の一端部分と、前記空間形成部材における該幅方向の一端部分が、接続していることを特徴とする沈砂池。
についても説明した。
【０１００】
さらに、この沈砂池において、前記溝形成体は、前記延在方向に延びた複数の平面によって構成されたものであってもよい。
【０１０１】
また、上記沈砂池において、前記空間は、前記吸込口側の部分が、該吸込口に近づくほど狭くなったものであってもよい。
【０１０２】
また、以上の記載では、
受け入れた水に含まれている砂が池下部に設けられた、集砂ピットに向かって延在した溝内に沈降する沈砂池であって、
前記溝を形成する、上方に向けて開口した溝形成体と、
閉塞した空間を形成し、該空間につながる吸込口が設けられ前記溝に沿って延在する空間形成部材とを備え、
前記吸込口は、下向きの開口であって、前記溝内に堆積した砂を、前記空間内に流体が吐出されることで該空間内に吸い込む開口として機能するものであり、
前記空間形成部材は、前記空間内に吸い込まれた砂が、該空間内に前記流体が吐出されることで前記集砂ピット側に向かって移動する経路として機能するものであり、
前記溝形成体における、前記溝の延在方向に直交した幅方向の一端部分と、前記空間形成部材における該幅方向の一端部分が、接続していることを特徴とする沈砂池。
についても説明した。
【０１０３】
また、以上の記載では、
上方に向かって開口した溝を池下部に有する沈砂池の改修方法であって、
前記溝を形成する既存トラフの該溝内に、上端部分が閉塞した空間を形成し下方に開口した吸込口が設けられた空間形成部材を設置する設置工程を有し、
前記空間内に流体が吐出されることで、前記溝内に堆積した砂を、前記吸込口から該空間内に吸い込ませ、該空間内に吸い込まれた砂を、該流体の吐出方向下流側に向かって移動させる沈砂池に改修することを特徴とする改修方法。
についても説明した。
【０１０４】
またさらに、以上の記載では、
上方に向かって開口した断面形状が略Ｕ字状の溝を、該溝の幅方向の両側に該溝に向かって下方に傾斜した一対の傾斜面が設けられた池下部に有する沈砂池の改修方法であって、
前記溝を形成する既存トラフの該溝内に、上端部分が閉塞した空間を形成し下方に開口した吸込口が設けられた空間形成部材を設置する設置工程を有し、
前記空間内に流体が吐出されることで、前記溝内に堆積した砂を、前記吸込口から該空間内に吸い込ませ、該空間内に吸い込まれた砂を、該流体の吐出方向下流側に向かって移動させる沈砂池に改修することを特徴とする沈砂池の改修方法。
についても説明した。
【０１０５】
また、前記溝形成体は、前記延在方向に延びた複数の平面部分を有するものであってもよい。
【０１０６】
また、これまでに説明した改修方法は、
上方に向かって開口した溝を池下部に有する沈砂池の改修方法であって、
前記溝内に配置されていたスクリューコンベアを撤去する撤去工程と、
前記スクリューコンベアが撤去された前記溝内に、該溝に沿って延在し、上端部分が閉塞した空間を形成し下方に開口した吸込口が設けられた空間形成部材を設置する設置工程を有し、
前記空間内に流体が吐出されることで、前記溝内に堆積した砂を、前記吸込口から該空間内に吸い込ませ、該空間内に吸い込まれた砂を、該流体の吐出方向下流側に向かって移動させる沈砂池に改修することを特徴とする。
【０１０７】
また、前記設置工程は、前記空間内に流体を吐出する吐出口を設置することも含んだ工程であってもよい。
【０１０８】
また、これまでに説明した改修方法は、
上方に向かって開口した断面形状が略Ｕ字状の溝を、該溝の幅方向の両側に該溝に向かって下方に傾斜した一対の傾斜面が設けられた池下部に有する沈砂池の改修方法であって、
前記溝内に配置されていたスクリューコンベアを撤去する撤去工程と、
前記スクリューコンベアが撤去された前記溝内に、該溝に沿って延在し、上端部分が閉塞した空間を形成し下方に開口した吸込口が設けられた空間形成部材を設置する設置工程を有し、
前記空間内に流体が吐出されることで、前記溝内に堆積した砂を、前記吸込口から該空間内に吸い込ませ、該空間内に吸い込まれた砂を、該流体の吐出方向下流側に向かって移動させる沈砂池に改修することを特徴とする。
【０１０９】
ここで、前記設置工程が、前記一対の傾斜面の下端よりも下方に前記空間形成部材を配置する工程であってもよい。
【０１１０】
また、前記設置工程は、前記空間内に流体を吐出する吐出口を設置することも含んだ工程であってもよい。
【０１１１】
さらに、前記設置工程が、前記一対の傾斜面のうちの一方の傾斜面に、前記吐出口につながる給水管を配置することも含んだ工程であってもよい。
【０１１２】
加えて、前記設置工程が、前記吐出口につながる給水管を、前記空間形成部材の上端部分に接続することも含んだ工程であってもよい。
【符号の説明】
【０１１３】
１    沈砂池
１ａ    池下部
３    トラフ
３１    溝形成体
３２    空間形成部材
３２１    上端部分
３３    共通部
３４    開口
４    集砂ピット
６    傾斜面
７    吐出口
Ｓ１，Ｓ２    空間
【図１】
2020073270.tif 000003
【図２】
2020073270.tif 000004
【図３】
2020073270.tif 000005
【図４】
2020073270.tif 000006
【図５】
2020073270.tif 000007
【図６】
2020073270.tif 000008
【図７】
2020073270.tif 000009
【図８】
2020073270.tif 000010
【図９】
2020073270.tif 000011
【図１０】
2020073270.tif 000012
【図１１】
2020073270.tif 000013
【図１２】
2020073270.tif 000014